(57)【要約】      （修正有）【課題】充電対象機器を充電可能な範囲に誘導し、かつ充電対象機器の形状に依存せずに充電可能な非接触充電装置を提供する。【解決手段】非接触充電装置は、充電対象機器を電磁誘導方式により充電する本体部と、前記充電対象機器を前記本体部の充電可能範囲に誘導する誘導部材と、を備え、前記誘導部材が湾曲部を有していることを特徴とし、前記誘導部材の湾曲部に沿って、前記充電対象機器を充電装置本体部の充電可能範囲に誘導できる。【選択図】図１
2010279240.tif 000002
【特許請求の範囲】
【請求項１】
充電対象機器を電磁誘導方式により充電する本体部と、前記充電対象機器を前記本体部の充電可能範囲に誘導する誘導部材と、を備え、
前記誘導部材が湾曲部を有していることを特徴とし、
前記誘導部材の湾曲部に沿って、前記充電対象機器を前記本体部の充電可能範囲に誘導できる、
非接触充電装置。
【請求項２】
請求項１に記載の非接触充電装置であって、
前記誘導部材は、前記本体部に設けられた回動軸によって回動可能な湾曲蓋であって、
前記湾曲蓋の湾曲部が、前記湾曲蓋の回動動作に伴って前記充電対象機器の一部と接触して、当該充電対象機器を前記本体部の充電可能範囲に誘導する、
非接触充電装置。
【請求項３】
請求項１に記載の非接触充電装置であって、
前記誘導部材は、前記本体部の上方に位置し、その上面に前記充電対象機器を載置可能な２つの湾曲片であって、
当該２つの湾曲片に設けられた摺動突起部が、前記本体部に設けられた摺動穴内を移動することで、前記２つの湾曲片が下方に押し広げられ、
下方に押し広げられた前記２つの湾曲片が、当該２つの湾曲片の上面に載置された前記充電対象機器を、前記本体部の充電可能範囲に誘導する、
非接触充電装置。
【請求項４】
請求項１に記載の非接触充電装置であって、
前記誘導部材は、前記本体部の前方の下部と側面とに位置し、
前記誘導部材は、前記非接触充電装置を立てた上方から前記充電対象機器を挿入することにより、前記本体部の下部に位置する湾曲誘導部材に沿って、前記充電対象機器を前記本体部の充電可能範囲に誘導し、かつ
前記誘導部材は、前記本体部の下部に位置する前記湾曲誘導部材に連動して、前記本体部の側面に位置する前記誘導部材の他の湾曲誘導部材に沿って、前記充電対象機器を前記本体部の充電可能範囲に誘導する、
非接触充電装置。
【発明の詳細な説明】
【技術分野】
【０００１】
本発明は、充電対象機器と直接接続せずに充電可能な非接触充電装置に関する。
【背景技術】
【０００２】
従来、携帯電話機や携帯音楽再生装置などの携帯端末機を充電する充電装置として、様々な形状を有する非接触充電装置がある。非接触充電装置は、充電器側の１次コイルと、充電対象機器である携帯端末機側の２次コイルとを磁気的に結合し、１次コイルに発生する交流磁場で２次コイルに電圧を発生させる「電磁誘導方式」によって、非接触で、充電対象機器の２次コイル側に電力を送ることができる。図１０に従来の充電装置を示す。
【０００３】
図１４に示す従来の充電器１００では、携帯端末機を設置する設置面１０１を有する。充電器１００は、設置面１０１に充電対象機器を載置して、電磁誘導方式により充電する。同様に、図１４に示す従来の充電器２００は、充電器２００の表面に設けられた固定枠２０１に、充電対象機器を固定し、電磁誘導方式により充電する。また、図１５に示す従来の充電器３００は、バネ３０１のバネ圧を利用して左右の押さえ板３０２を可動し充電対象機器６の左右幅を位置決めし、また、厚さ方向にもバネ３０３のバネ圧を利用し、かつ凹凸３０４にて充電対象機器６を非接触充電装置の充電可能範囲へ位置決めする装置を提供している。
【先行技術文献】
【特許文献】
【０００４】
【特許文献１】特開２００８−１７５６２号公報
【特許文献２】特開２００８−２９５２７３公報
【発明の概要】
【発明が解決しようとする課題】
【０００５】
しかしながら、非接触充電器１００では、充電対象機器の振動機能や人体等の接触などにより、設置面１０１から、充電対象機器が外れてしまう可能性がある。また、非接触充電器２００では、固定枠２０１の形状と同じ形状の充電対象機器しか充電できない。すなわち、正規の充電対象機器とは形状が異なる携帯端末機を充電することができない。充電器３００では、バネ圧により充電対象機器を位置決めしているので磨耗により充電対象機器を傷つけることがある。また充電対象機器に凹凸３０４を形成する必要があるため、充電対象機器に形状、デザイン性を損なう課題があった。
【０００６】
本発明の目的は、充電対象機器を充電可能な範囲に誘導することができ、かつ様々な充電対象機器の形状に対応可能であり、充電対象機器に損傷を与えず、また充電対象機器の外形形状に影響を与えることがない非接触充電装置を提供することである。
【課題を解決するための手段】
【０００７】
本発明は、充電対象機器を電磁誘導方式により充電する本体部と、前記充電対象機器を前記本体部の充電可能範囲に誘導する誘導部材と、を備え、前記誘導部材が湾曲部を有していることを特徴とし、前記誘導部材の湾曲部に沿って、前記充電対象機器を前記本体部の充電可能範囲に誘導する。
【０００８】
上記非接触充電装置では、前記誘導部材は、前記本体部に設けられた回動軸によって回動可能な湾曲蓋であって、前記湾曲蓋の湾曲部が、前記湾曲蓋の回動動作に伴って前記充電対象機器の一部と接触して、当該充電対象機器を前記本体部の充電可能範囲に誘導する。
【０００９】
上記非接触充電装置では、前記誘導部材は、前記本体部の上方に位置し、その上面に前記充電対象機器を載置可能な２つの湾曲片であって、当該２つの湾曲片に設けられた摺動突起部が、前記本体部に設けられた摺動穴内を移動することで、前記２つの湾曲片が下方に押し広げられ、下方に押し広げられた前記２つの湾曲片が、当該２つの湾曲片の上面に載置された前記充電対象機器を、前記本体部の充電可能範囲に誘導する。
【００１０】
上記非接触充電装置では、前記誘導部材は、前記本体部の前方の下部と側面とに位置し、前記誘導部材は、前記非接触充電装置を立てた上方から前記充電対象機器を挿入することにより、前記本体部の下部に位置する湾曲誘導部材に沿って、前記充電対象機器を前記本体部の充電可能範囲に誘導し、かつ前記誘導部材は、前記本体部の下部に位置する前記湾曲誘導部材に連動して、前記本体部の側面に位置する前記誘導部材の他の湾曲誘導部材に沿って、前記充電対象機器を前記本体部の充電可能範囲に誘導する。
【発明の効果】
【００１１】
本発明に係る非接触充電装置によれば、充電対象機器を充電可能な範囲に誘導し、かつ充電対象機器の形状に依存せず、充電対象機器を充電できる。しかも充電対象機器の磨耗による傷つきが緩和され、かつ充電対象機器の外観形状に影響を与えない非接触充電装置を提供できる。
【図面の簡単な説明】
【００１２】
【図１】実施の形態１の非接触充電装置１０の全体構成を示す斜視図
【図２】図１に示すII−II線における断面図
【図３】図１に示すIII−III線における断面図
【図４】非接触充電装置１０の充電可能範囲及び位置ズレ許容範囲を説明するための図
【図５】実施の形態２の非接触充電装置２０の全体構成を示す斜視図
【図６】図５に示すVI−VI線における断面図
【図７】非接触充電装置２０の状態遷移図（１）
【図８】非接触充電装置２０の状態遷移図（２）
【図９】非接触充電装置２０の位置ズレ許容範囲を説明するための図
【図１０】実施の形態３の非接触充電装置３１の上面図
【図１１】実施の形態３の非接触充電装置３１の正面図
【図１２】実施の形態３の非接触充電装置３１の側面図
【図１３】実施の形態３の非接触充電装置３１の背面図
【図１４】従来の実施例（１）
【図１５】従来の実施例（２）
【発明を実施するための形態】
【００１３】
以下、本発明の実施形態について、図面を参照して説明する。
【００１４】
（実施の形態１）
図１〜図４を参照して、実施の形態１に係る非接触充電装置１０について説明する。
図１は、実施の形態１の非接触充電装置１０の全体構成を示す斜視図である。図１に示すように、実施の形態１の非接触充電装置１０は、湾曲蓋２と、充電装置本体３と、滑り止めシート４と、２つの回動軸５から構成される。なお、本実施形態の非接触充電装置１０は、「電磁誘導方式」により充電対象機器を充電する。また、本実施形態では、充電対象機器を携帯電話機６として説明する。
【００１５】
充電装置本体３は、上下方向に平らな平面を有する板状の部材であり、プラスチック等に形成されている。充電装置本体３の上面には、クッション性のある滑り止めシート４が設けられている。
【００１６】
充電装置本体３の端部には、その長手方向（図中、Ｙ軸方向）に沿って、湾曲蓋２の一端を回動可能に支持する２つの回動軸５が設けられている。なお、充電装置本体３の内部には、図示していないが、「電磁誘導方式」により充電対象機器を充電するためのコイルやコイルに電流を供給するための各種部品が存在する。コイルに供給する電源は、外部の商業用電源を利用できるように構成されている。
【００１７】
滑り止めシート４は、弾性部材で形成され、クッション性を有している。滑り止めシート４上には、携帯電話機６が載置される。
【００１８】
回動軸５は、略円柱状を有しており、プラスチックで形成されている。回動軸５は、充電装置本体３の長手方向に沿って、所定の長さを有する。
【００１９】
図１に示すように、湾曲蓋２は、透明なプラスチックで形成されている。湾曲蓋２は、充電装置本体３の上面のほぼ全体を覆っている。湾曲蓋２は、充電装置本体３の一端に設けられた２つの回動軸５によって、開閉自在に回動する。
【００２０】
次に、図２、図３を参照して、湾曲蓋２の構成について説明する。図２は、図１に示すII−II線における断面図であり、図３は、図１に示すIII−III線における断面図である。
【００２１】
図２に示すように、湾曲蓋２は、充電装置本体３の短手方向（図中、Ｘ軸方向）において、その一端が充電装置本体３の一端に設けられた２つの回動軸５の周囲を部分的に囲んでおり、その他端には、充電対象機器を充電可能範囲へ誘導するための湾曲部２Ａを有している。図中、湾曲蓋２と充電装置本体３の上面に設けられた滑り止めシート４とで囲まれている空間に、携帯電話機６が載置される。
【００２２】
図３に示すように、湾曲蓋２は、充電装置本体３の長手方向（図中、Ｙ軸方向）において、充電装置本体３の上面のほぼ全体を覆っている。湾曲蓋２は、充電装置本体３の長手方向（図中、Ｙ軸方向）において、その両端には、充電対象機器を充電可能範囲へ誘導するための湾曲部２Ｂ、２Ｃを有している。図中、湾曲蓋２と充電装置本体３の上面に設けられた滑り止めシート４とで囲まれている空間に、携帯電話機６が載置される。
【００２３】
詳細は後述するが、非接触充電装置１０は、回動軸５により開閉する湾曲蓋２の湾曲部２Ａによって、携帯電話機６を、充電装置本体３の充電可能範囲に誘導する。
また、湾曲蓋２の湾曲部２Ａ、２Ｂ、２Ｃの曲率を大きくすることで、携帯電話機６を載置するスペースの容積を大きくすることが可能である。
【００２４】
次に、図４を参照して、非接触充電装置１０の充電可能範囲及び位置ズレ許容範囲について説明する。図４は、湾曲蓋２が閉じるにつれて、充電対象機器である携帯電話機６が充電可能範囲Ｗ２内に移動していく様子を示している。
まず、開き状態であった湾曲蓋２（図中、実線）を閉じていくことで、Ａ地点において、湾曲蓋２（図中、１点鎖線）の湾曲部２Ａが携帯電話機６の一端と接触する。
そして、湾曲蓋２の湾曲部２Ａが携帯電話機６と接触した状態で、湾曲蓋２がさらに閉じていくと、携帯電話機６の一端はＢ地点まで移動し、湾曲蓋２（図中、２点鎖線）が完全に閉じられた状態となる。湾曲蓋２が完全に閉じられた状態のとき、携帯電話機６の他端は、充電装置本体３の短手方向（図中、Ｘ軸方向）において、図中Ｗ２で示す非接触充電装置１０の充電可能範囲内に収容されている。
【００２５】
さらに、湾曲蓋２が完全に閉じられた状態のとき、携帯電話機６は、充電装置本体３の短手方向（図中、Ｘ軸方向）において、Ｃ地点で湾曲蓋２と接触するまで移動可能になっている。つまり、充電装置本体３の短手方向（図中、Ｘ軸方向）において、Ｗ１で示す位置ズレ許容範囲の長さ分だけ、携帯電話機６が長くなっても、非接触充電装置１０は、携帯電話機６を充電することができる。
【００２６】
したがって、本実施形態では、充電装置本体３の短手方向（図中、Ｘ軸方向）において、Ｗ１分だけ、携帯電話機６の長さが長くなっても、非接触充電装置１０は、携帯電話機６を充電可能な範囲に誘導して充電することができる。
【００２７】
また、本実施形態では、充電装置本体３の短手方向（図中、Ｘ軸方向）において、湾曲蓋２の湾曲部２Ａの曲率を大きくすることで、携帯電話機６の上方のスペースをより広げることができる。したがって、湾曲蓋２の湾曲部２Ａの曲率を大きくして広がったスペース分だけ、携帯電話機６の厚みが大きくなっても、非接触充電装置１０は、携帯電話機６を充電可能な範囲に誘導して充電することができる。
【００２８】
なお、本実施形態に係る非接触充電装置１０では、湾曲蓋２の湾曲部２Ａと同様に、充電装置本体３の長手方向（図中、Ｙ軸方向）において、湾曲蓋２の湾曲部２Ｂ、２Ｃの曲率を大きくすれば、湾曲蓋２の湾曲部２Ｂ、２Ｃの曲率を大きくして広がったスペース分だけ携帯電話機６の厚みが大きくなっても、非接触充電装置１０は、携帯電話機６を充電可能な範囲に誘導して充電することができる。
【００２９】
なお、本実施形態では、充電対象機器を携帯電話機６として説明したが、充電対象機器はこれに限らない。例えば、携帯音楽再生装置などの、「電磁誘導方式」で充電可能な携帯端末機であれば良い。
【００３０】
（実施の形態２）
図５〜図８を参照して、実施の形態２に係る非接触充電装置２０について説明する。図５は、実施の形態２の非接触充電装置２０の全体構成を示す斜視図である。図５に示す非接触充電装置２０は、充電装置本体２１と、充電装置側壁２２と、側壁カバー２３と、湾曲片２４、２５と、を備える。
【００３１】
充電装置本体２１は、上下方向に平らな平面を有する板状の部材であり、プラスチック等に形成されている。充電装置本体２１の上面には、クッション性のあるシート２１Ａが設けられている。充電装置本体２１は、その長手方向の両端に充電装置側壁２２が設けられている。
【００３２】
充電装置側壁２２は、充電装置本体２１の長手方向の両端に設けられている。充電装置側壁２２は、充電装置本体２１の短手方向において、断面略Ｌ字状に形成されている。
充電装置側壁２２内部には、湾曲片２４、２５の側面に設けられている摺動突起部と嵌合する摺動穴２２Ａ、２２Ｂ，２２Ｃ、２２Ｄが設けられている。摺動穴２２Ａ、２２Ｂは、充電装置本体２１の短手方向において、充電装置側壁２２の端部に向かってやや上方に延びている。摺動穴２２Ｃ、２２Ｄは、充電装置本体２１の短手方向において、充電装置側壁２２の端部に向かってやや下方に延びている。
また、充電装置側壁２２内部には、湾曲片２４、２５を下方へ押し広げるための押し当て板２６が設けられている。
また、充電装置側壁２２内部には、充電装置本体２１の端部上面から上方に向かって延びるバネ３０が設けられている。バネ３０は、押し当て板２６のバネ受け部２８で、押し当て板２６と接する。
【００３３】
側壁カバー２３には、切り欠き部２３Ａが設けられている。この切り欠き部２３Ａに沿って、押し当て板２６の押し下げ部２９が下方に移動可能になっている。
【００３４】
次に、図６を参照して、押し当て板２６の構成及びその動作について説明する。
押し当て板２６は、先端のバネ受け部２８に向かって先細る形状を有しており、押し下げ部２９と、傾斜部２７と、バネ受け部２８と、を備える。
バネ受け部２８は、下方に向かって凹状を有し、充電装置本体２１の端部上面から上方に向かって延びるバネ３０の先端を受ける。
傾斜部２７は、バネ受け部２８の両側に形成されており、その一部が、湾曲片２４、２５の端部曲面に当接する。
押し下げ部２９は、充電装置本体２１の短手方向に所定の長さを有する略直方体の形状であり、充電装置側壁２２から外側に向かって突出している。押し下げ部２９は、側壁カバー２３の切り欠き部２３Ａに沿って、下がる構成をとっている。詳細は後述するが、押し当て板２６は、湾曲片２４、２５を下方に押し広げる機構を備えている。
【００３５】
湾曲片２４、２５は、充電装置本体２１の長手方向に延びる、所定の曲率をもつ曲面をそれぞれ有している。また、湾曲片２４、２５の両端部は、充電装置本体２１の短手方向全体に亘って設けられ、充電装置側壁２２に沿って充電装置側壁２２の上面まで延びている。湾曲片２４、２５の充電装置本体２１の長手方向に延びる曲面と充電装置本体２１の短手方向全体に亘って設けられた両端部によって、携帯電話機６を、湾曲片２４、２５の内部に収容する収容部を形成する。また、湾曲片２４、２５の端部側面には、充電装置側壁２２内部に設けられた摺動穴２２Ａ、２２Ｂ，２２Ｃ、２２Ｄと嵌合する摺動突起部２４Ａ、２４Ｂ、２５Ａ、２５Ｂが設けられている。
【００３６】
次に、図６を参照して、湾曲片２４、２５の動作について説明する。図６は、図５に示すVI−VI線における断面図である。図６示すように、湾曲片２４、２５が閉じた状態（図中、実線）から、押し下げ部２９を押し下げることで、湾曲片２４、２５が開いた状態（図中、２点鎖線）へ遷移する。
まず、湾曲片２４、２５が閉じた状態で押し下げ部２９を押し下げることで、バネ３０によって支持されている押し当て板２６が下方に下がる。押し当て板２６が下方に下がると、押し当て板２６の傾斜部２７が湾曲片２４、２５の一部と当接し、湾曲片２４、２５を下方へ押し下げようとする力が働く。
そして、湾曲片２４、２５に押し下げようとする力が働くと、充電装置側壁２２の摺動穴２２Ａ、２２Ｂ、２２Ｃ、２２Ｄに嵌合している湾曲片２４、２５の摺動突起部２４Ａ、２４Ｂ、２５Ａ、２５Ｂが、それぞれ摺動穴２２Ａ、２２Ｂ，２２Ｃ、２２Ｄに沿って移動する。湾曲片２４、２５は、この摺動突起部２４Ａ、２４Ｂ、２５Ａ、２５Ｂの移動に伴い、下方へ押し広げられて、開いた状態（図中、２点鎖線）となる。
【００３７】
次に、図７〜図８を参照して、携帯電話機６が充電装置本体２１上に載置されるまでの様子について説明する。図７は、非接触充電装置２０の状態遷移図（１）であり、湾曲片２４、２５が閉じた状態を示す。また、図８は、非接触充電装置２０の状態遷移図（２）であり、湾曲片２４、２５が開いた状態を示す。なお、図７、８は、それぞれ図５に示すVII−VII線、VIII−VIII線の断面図である。
【００３８】
図７に示すように、湾曲片２４、２５が閉じた状態で、湾曲片２４、２５の曲面上に携帯電話機６を載置されると、その曲面に沿って、携帯電話機６は中心部へと移動する。そして、押し下げ部２９を押し下げ動作により、押し当て板２６が下がると、上述のように、湾曲片２４、２５の摺動突起部２４Ａ、２４Ｂ、２５Ａ、２５Ｂが、充電装置側壁２２の摺動穴２２Ａ、２２Ｂ、２２Ｃ、２２Ｄに沿って移動して、湾曲片２４、２５が下方へ押し広げられる。
【００３９】
図８に示すように、湾曲片２４、２５が下方へ押し広げられることで、携帯電話機６が、湾曲片２４、２５の間にできたスペースに入り込んでいく。そして、湾曲片２４、２５が完全に開いた状態では、携帯電話機６が、湾曲片２４、２５の間で、Ｗ２で示す充電可能範囲内で、充電装置本体２１のシート２１Ａ上に載置される。充電装置本体２１のシート２１Ａはクッション性があるので、携帯電話機６に衝撃を与えずに、携帯電話機６を充電装置本体２１のシート２１Ａ上に載置することができる。このとき、湾曲片２４、２５は、バネ３０の付勢力によって、図８に示す開いた状態から図７に示す閉じた状態に復帰しようとするが、携帯電話機６の側面と接触しているので、湾曲片２４、２５は開いた状態のままとなっている。したがって、携帯電話機６の充電が完了した後に、携帯電話機６が充電装置本体２１のシート２１Ａ上から離れると、湾曲片２４、２５は、バネ３０の付勢力によって、図８に示す開いた状態から図７に示す閉じた状態に復帰する。
【００４０】
次に、図９を参照して、非接触充電装置２０の位置ズレ許容範囲について説明する。図９は、非接触充電装置２０の位置ズレ許容範囲を説明するための図である。
図９に示すように、湾曲片２４、２５の長さや、充電装置側壁２２の摺動穴２２Ａ、２２Ｂ、２２Ｃ、２２Ｄの向きや長さを適切に設定しておくことで、充電装置本体２１の短手方向においてＷ１で示す位置ズレ許容範囲内であれば、充電対象機器の幅が広くなっても、非接触充電装置２０はその充電対象機器を充電することができる。なお、充電対象機器の厚さ方向については、特に制限はない。本実施形態の場合、充電装置本体２１の短手方向においてＷ１で示す位置ズレ許容範囲内の幅を有する携帯電話機６であれば、非接触充電装置２０は携帯電話機６を充電することができる。
【００４１】
（実施の形態３）
図１０〜図１３を参照して、実施の形態３に係る非接触充電装置３１について説明する。図１０は実施の形態３の非接触充電装置３１の上面図であり、図１１は正面図、図１２は側面図、図１３は背面図である。
非接触充電装置３１は、充電装置本体３２と、台座３３と、下部誘導部材３４と、
左誘導部材３５および右誘導部材３６を備えている。
【００４２】
充電装置本体３２は、実施の形態１の充電装置本体３、および実施の形態２の充電装置本体２１の水平置きの配置に対して縦置き垂直に配置している。
充電装置本体３２の内部には、図示していないが、「電磁誘導方式」により充電対象機器を充電するためのコイルやコイルに電流を供給するための各種部品が存在する。コイルに供給する電源は、外部の商業用電源を利用できるように構成されている。
また、下部誘導部材３４と左誘導部材３５および右誘導部材３６とを連動する連結板３７と、横回転棒３８と、左回転棒３９と、右回転棒４０とを有している。
【００４３】
次に、非接触充電装置３１の動作について説明する。
図１１において、携帯電話機６を非接触充電装置の上部から、充電装置本体３２と、左右誘導部材３５および３６の間のスペースに挿入される。その状態を携帯電話機６Ａに示す。携帯電話機６Ａは下部誘導部材３４の初期位置である３４Ａで下部誘導部材３４が有している湾曲部３４Ｂに接触し、携帯電話機６の重量により、湾曲部３４Ｂに沿って下方中央に移動し、かつ下部誘導部材３４を３４Ａの初期位置から３４の位置まで押し下げる。
【００４４】
図１２において、下部誘導部材３４と連結板３７は固定されている。そのため、下部誘導部材が下方へ移動するのに伴い、連結板３７も３７Ａの初期位置から３７の位置まで移動する。連結板３７は後述する歯車３８Ａに合致する凹凸３７Ｂが設けられている。
【００４５】
図１０、図１２において、横回転棒３８は、歯車３８Ａを有しており、前記連結板３７の上下動作を凹凸３７Ｂを介して回転動作に変換する。また、横回転棒３８は左右に傘歯車３８Ｂ、３９Ｃを有しており、回転動作を９０度変換してそれぞれ左回転棒３９と右回転棒４０に回転動作を伝達する。
【００４６】
図１０、図１３において、左回転棒３９に有した傘歯車３９Ａ、右回転棒に有した傘歯車４０Ａが、横回転棒３８に有した傘歯車３８Ｂ、３９Ｃに咬み合って、横回転棒３８の回転動作を９０度変換している。左誘導部材３５は左回転棒３９に固定されている。また、右誘導部材３６は右回転棒４０に固定されている。
【００４７】
図１０において、左誘導部材３５Ａは左誘導部材３５が開いている状態であり、右誘導部材３６Ａは右誘導部材３６が開いている状態である。それぞれ湾曲形状を成している。すなわち、左誘導部材３５Ａは左回転棒３９が回転動作した角度と同じ角度で内側へ回転動作する。また同じように右誘導部材も内側へ回転動作する。
【００４８】
携帯電話機６Ａは、左右誘導部材が開いている状態３５Ａ、３６Ａに非接触充電装置３１に挿入している状態である。上述したように、左右誘導部材３５Ａ、３６Ａが回転動作することにより、左右誘導部材３５、３６の位置まで回転運動を行う。その際、携帯電話機６Ａは、湾曲形状の左右誘導部材に沿って、充電可能範囲の位置、すなわち、携帯電話機６の位置へ移動する。
【００４９】
図１１において、６Ｃは携帯電話機６Ａの充電可能部であり、６Ｂは携帯電話機６の充電可能部である。また、３２Ａは充電装置本体３２の充電可能部である。上述したように携帯電話機６Ａは携帯電話機６の位置に誘導され充電可能になる。
【００５０】
充電完了した携帯電話機６を上方向に取り出すと、図１２に図示してあるバネ４１によって、下部誘導部材３４は初期位置３４Ａへ、左右誘導部材３５、３６は初期位置３５Ａ、３６Ａへそれぞれ戻る。バネ４１は携帯電話機６の重量よりバネ圧が低いことが望ましい。
【００５１】
上記、連結機構構造は１実施例であり、他の連結機構構造を用いて下部誘導部材を左右誘導部材へ連動する機構構造を用いてもかまわない。
左右誘導部材は透明のプラスチックで構成されているため、携帯電話機の表示部を可視することができる。また、左右誘導部材の一部をレンズ化することによって、携帯電話機の表示部分を拡大して見ることもできる。
【産業上の利用可能性】
【００５２】
本発明に係る非接触充電装置は、充電対象機器を充電可能な範囲に誘導し、かつ充電対象機器の形状に依存せずに充電対象機器を充電することができるという効果を有し、携帯電話機等の携帯端末の充電器として有用である。
【符号の説明】
【００５３】
１０、２０        非接触充電装置
２                湾曲蓋
２Ａ、２Ｂ、２Ｃ  湾曲部
３                充電装置本体
４                滑り止めシート
５                回動軸
６                携帯電話機
２１              充電装置本体
２１Ａ            シート
２２              充電装置側壁
２２Ａ〜２２Ｄ    摺動穴
２３              側壁カバー
２４              湾曲片
２４Ａ            摺動突起部
２４Ｂ            摺動突起部
２５              湾曲片
２５Ａ            摺動突起部
２５Ｂ            摺動突起部
２６              押し当て板
２７              傾斜部
２８              バネ受け部
２９              押し下げ部
３０              バネ
３１              非接触充電装置
６Ａ              携帯電話機
６Ｂ、６Ｃ        携帯電話機充電可能部
３２              充電装置本体
３２Ａ            充電装置本体充電可能部
３３              台座
３４、３４Ａ      下部誘導部材
３５、３５Ａ      左誘導部材
３６、３６Ａ      右誘導部材
３７、３７Ａ      連結板
３８              横回転棒
３８Ａ            歯車
３８Ｂ、３８Ｃ    傘歯車
３９              左回転棒
３９Ａ            傘歯車
４０              右回転棒
４０Ａ            傘歯車
４１              バネ
【図１】
2010279240.tif 000003
【図２】
2010279240.tif 000004
【図３】
2010279240.tif 000005
【図４】
2010279240.tif 000006
【図５】
2010279240.tif 000007
【図６】
2010279240.tif 000008
【図７】
2010279240.tif 000009
【図８】
2010279240.tif 000010
【図９】
2010279240.tif 000011
【図１０】
2010279240.tif 000012
【図１１】
2010279240.tif 000013
【図１２】
2010279240.tif 000014
【図１３】
2010279240.tif 000015
【図１４】
2010279240.tif 000016
【図１５】
2010279240.tif 000017